(57)【要約】      （修正有）【課題】上方部に電動機及び氷収納容器があるものは不安定であり、氷塊を上方から挿入するタイプでは、回転羽根の回転により氷塊が上方へ跳ね氷の切削が良好に行なわれず、蓋を内側から打ち付け騒音の原因となる。また氷塊を上方より順次入れないと氷塊は下方側へ移動していかず、氷塊の少ない状態での切削がうまくいかなかった。【解決手段】基台、基台より立設した支持柱、支持柱の略中央部より前方へ突出した支持板、支持柱の上端部より前方へ突出したキャップ部、支持板とキャップ部間に着脱自在に挿入される氷塊投入容器とより構成され、支持柱には電源手段とモーターとを配設し、該モーターの軸は、適数個の歯車を介してキャップ部底部に位置する回転手段と噛合され、回転手段は、支持板上の昇降手段により氷塊投入容器の噛み合わせ部と連結自在とし、噛み合わせ部は、内・外の筒体及び羽根と一体に形成してなることを特徴とする氷かき機。【選択図】図３
2005164055.tif 000002
【特許請求の範囲】
【請求項１】
基台、該基台より立設した支持柱、該支持柱の略中央部より前方へ突出した支持板、該支持柱の上端部より前方へ突出したキャップ部、該支持板とキャップ部間に着脱自在に挿入される氷塊投入容器とより構成され、該支持柱には電源手段とモーターとを配設し、該モーターの軸は、適数個の歯車を介して該キャップ部底部に位置する回転手段と噛合され、該回転手段は、該支持板上の昇降手段により該氷塊投入容器の噛み合わせ部と連結自在とし、該噛み合わせ部は、内・外の筒体及び羽根と一体に形成してなることを特徴とする氷かき機。
【請求項２】
モーターの軸と噛合する適数個の歯車は、その全てをキャップ部の空間内に配設してなることを特徴とする請求項１に記載の氷かき機。
【請求項３】
羽根は、螺旋状に形成し、内・外の筒体の側壁にその側縁部を固定し、該筒体の回転により氷塊が下方へ誘導されるように底部側へ傾斜してなることを特徴とする請求項１又は２に記載の氷かき機。
【請求項４】
羽根は、その裏面側に多数の突起を形成してなることを特徴とする請求項１ないし３のいずれかに記載の氷かき機。
【請求項５】
昇降手段は、支持板に形成した凹部と、該凹部内を昇降する押し上げ板とよりなることを特徴とする請求項１ないし４のいずれかに記載の氷かき機。
【請求項６】
昇降手段は、支持板の凹部の側壁に沿って形成したテーパー状突起と、該凹部内に挿入した押し上げ板の裏面側縁部に形成したテーパー状突起とが、各々上下に重合される位置となるように形成し、該押し上げ板の回動により上記重合位置を変化させ、その重合厚に応じて押し上げ板を昇降自在としてなる構成としたことを特徴とする請求項１ないし５のいずれかに記載の氷かき機。
【請求項７】
支持柱の氷塊投入容器の設置位置と対向する内側壁面に、接触スイッチを形成し、該氷塊投入容器の設置により該接触スイッチが作動し、モーターのスイッチが機能することを特徴とする請求項１ないし６のいずれかに記載の氷かき機。
【請求項８】
回転手段は、氷塊投入容器内の氷塊を切削する方向への回転及びそれとは逆方向への回転の両方向への回転を可能としたことを特徴とする請求項１ないし７のいずれかに記載の氷かき機。
【請求項９】
氷塊投入容器は、その側壁上端部より外方へ突出する把手を設けてなることを特徴とする請求項１ないし８のいずれかに記載の氷かき機。
【請求項１０】
支持柱の上端部に回転軸を設け、該回転軸に取手を取着したことを特徴とする請求項１ないし９のいずれかに記載の氷かき機。
【発明の詳細な説明】
【技術分野】
【０００１】
本発明は、キャンプや旅行等のアウトドア並びに一般家庭において使用する氷かき機に関し、特に持ち運びが容易な電動式氷かき機に関するものである。
【背景技術】
【０００２】
近年、一般家庭用の氷かき機において電動式のものが採用され始めているが、それらのものは従来の手動式の氷かき機に交流電源を得る手段として電源コードを連結したにすぎなかった。従って、そのような電動式氷かき機は、図９に示すようなスタンド形式のもの或いは図１０に示すような大径を有する筒状形式のものに電源コードを連結したものであった。
【０００３】
また、図９に示すスタンド形式の従来例は、柱Ａの上端部に容器状に形成した氷切削部Ｃを設け、該氷切削部Ｃ内に、電動機Ｄ、軸Ｅ及び該軸Ｅの下端部に氷押え板Ｆ等を収納している。そして発条体Ｇが該軸Ｅを下方へ付勢しているので、氷押え板Ｆに押えられて設置される氷は、該電動機Ｄが回転すると、氷も同様に回転し、下方側へ押し付けられながらカッターＨにより切削される構造を採用している。
【０００４】
また、図１０に示す大径の筒状形式の従来例は、柱Ｉの内側に電動機Ｊを配設し、蓋部に固定された容器内の羽根Ｋを、該電動機Ｊの軸Ｌと連結した歯車或いはベルト等により回転させ、氷塊を底板側のカッターＭにより切削している。
【特許文献１】特開平５−２４０５４５号公報
【発明の開示】
【発明が解決しようとする課題】
【０００５】
上記スタンド形式の上方部に電動機及び氷塊収納容器を形成している従来例は、本体の背が高くなり、該上方部の駆動手段において水平方向の回転が行なわれるため横揺れが生じ不安定なものであった。
【０００６】
また、筒状形式のものは、本体に形成した氷塊収納容器内の羽根の回転により、氷塊の多くは上方へ飛び跳ね、容器上蓋を内側から叩き付けていた。その防止のためには氷を常に満杯状態で収納するか、或いは何等かの氷押え手段を設けなければならなかった。
更に、上記スタンド形式の従来例同様、氷塊収納容器が本体と一体形成されているので、氷塊の収納時には別途容器を使用して当該箇所へ入れ込む作業をしなければならない欠点があった。
【課題を解決するための手段】
【０００７】
本発明は、上記課題を解決したもので、持ち運び容易な安定性のあるスタンド形式の電動氷かき機を採用し、且つ氷塊の所定箇所への収納を容易とし、及び氷切削時における切削箇所への氷の送りを確実にしたものである。その具体的構成は、基台、該基台より立設した支持柱、該支持柱の略中央部より前方へ突出した支持板、該支持柱の上端部より前方へ突出したキャップ部、該支持板とキャップ部間に着脱自在に挿入される氷塊投入容器とより構成され、該支持柱には電源手段とモーターとを配設し、該モーターの軸は、適数個の歯車を介して該キャップ部底部に位置する回転手段と噛合され、該回転手段は、該支持板上の昇降手段により該氷塊投入容器の噛み合わせ部と連結自在とし、該噛み合わせ部は、内・外の筒体及び羽根と一体に形成してなる氷かき機を特徴とする。
【０００８】
また、モーターの軸と噛合する適数個の歯車は、その全てをキャップ部の空間内に配設してなる氷かき機を特徴とする。
【０００９】
更に、羽根は、螺旋状に形成し、内・外の筒体の側壁にその側縁部を固定し、該筒体の回転により氷塊が下方へ誘導されるように底部側へ傾斜してなる氷かき機を特徴とする。
【００１０】
また、羽根は、その裏面側に多数の突起を形成してなる氷かき機を特徴とする。
【００１１】
更に、昇降手段は、支持板に形成した凹部と、該凹部内を昇降する押し上げ板とよりなる氷かき機を特徴とする。
【００１２】
また、昇降手段は、支持板の凹部の側壁に沿って形成したテーパー状突起と、該凹部内に挿入した押し上げ板の裏面側縁部に形成したテーパー状突起とが、各々上下に重合される位置となるように形成し、該押し上げ板の回動により上記重合位置を変化させ、その重合厚に応じて押し上げ板を昇降自在としてなる構成とした氷かき機を特徴とする。
【００１３】
更に、支持柱の氷塊投入容器の設置位置と対向する内側壁面に、接触スイッチを形成し、該氷塊投入容器の設置により該接触スイッチが作動し、モーターのスイッチが機能する氷かき機を特徴とする。
【００１４】
また、上記回転手段は、氷塊投入容器内の氷塊を切削する方向への回転及びそれとは逆方向への回転の両方向への回転を可能とした氷かき機を特徴とする。
【００１５】
更に、氷塊投入容器は、その側壁上端部より外方へ突出する把手を設けてなる氷かき機を特徴とする。
【００１６】
また、支持柱の上端部に回転軸を設け、該回転軸に取手を取着した氷かき機を特徴とする。
【発明の効果】
【００１７】
本発明は、電源手段とモーターとを氷塊投入容器の背面側となる支持柱に形成することにより、全体の重心位置を下方とし、下方側に空間部を形成した氷かき機に安定性を与えることが可能となった。
【００１８】
また、モーター軸と噛合する適数個の歯車を蓋を兼用するキャップ部に形成したので、歯車への湿気の進入を防止でき、故障を少なくし、耐久性を向上させることが可能となった。更に、氷塊投入容器の開口部が該キャップ部により閉鎖されることになるので、その都度蓋で開口部を閉鎖することなく支持板とキャップ部間への装着のみで、回転時における氷塊の飛び出しを完全に防止することが可能となった。
【００１９】
更に、羽根を螺旋状とし、筒体の回転により氷塊が下方へ誘導されるように底部側へ傾斜形成したので、回転運動が氷塊を下方へ送り込む作用をなすことが可能となった。
また、何等かの原因により回転動作が停止したり、氷塊が詰まった場合等には、羽根の回転を逆回転させることができるので、氷塊が上方へ押し上げられることになり、それらの支障を解決することが容易となった。
更に、氷塊の通路となる羽根の裏面側に多数の突起を形成したので、羽根裏面に沿っての氷塊の跳ね上がりを押えることが可能となった。
【００２０】
また、支持板に昇降手段を設け、該昇降手段は通常は支持板と面一状態とされているので、氷塊投入容器を横方向から出入することが容易となった。
更に、上記昇降手段は、着脱時に該氷塊投入容器と一体となる押し上げ板の回動によって昇降が可能となり、駆動部との着脱が片手により簡単に行なうことが可能となった。
【発明を実施するための最良の形態】
【００２１】
以下に、本発明の実施例を図面に基づいて説明する。
【実施例】
【００２２】
図１は、氷かき機の側面図、図２は、同駆動部の横断面図及び図３は、同中央部縦断面図を示している。
氷かき機１は、基台２、該基台２より立設した支持柱３、該支持柱３の略中央部より前方へ突出した支持板４、同様に該支持柱３の上端部より前方へ突出したキャップ部５、該支持板４とキャップ部５間に着脱自在に装着される氷塊投入容器６及び回転手段とより構成している。
【００２３】
該基台２は、前方及び側方へ突出形成し、氷かき機１の安定状態を保持すると同時に、切削された氷を受ける器Ｔを載置する台としての役割もなす。
【００２４】
該支持柱３は、立設した中空体として形成し、その内側下方部には回転手段のための電源となる電池を収納する収納ケース７を配設し、同上方部には該電池によって駆動するモーター８を配設している。該モーター８の回転軸９は、その先端部が該キャップ部５の空間部１０へ突出形成するように構成している。また、該モーター８の駆動をコントロールするスイッチ１１が支持柱３の側壁部より表面側に露出するように形成している。
【００２５】
該電池収納ケース７には、適数個の電池１２を配設し、その出入のための電池蓋部１３が側壁の表面の一部を形成している。
【００２６】
上記支持柱３より上方へ突出した回転軸９は、該キャップ部５の空間部１０内において歯車１４ａ、１４ｂ・・に噛み合い、最終歯車はキャップ部５の底部で支持板上部に配設した氷塊投入容器６の中心部の上方に位置した回転軸１５と噛合する。
【００２７】
該回転軸１５は、下方へ延出した延出部１６が、氷塊投入容器６の軸１７の上部に回転自在に形成した噛み合わせ部１８に噛み合う。
【００２８】
該噛み合わせ部１８には、軸蓋を兼ねる平板１９を形成し、該平板１９の周縁部には内筒体２０を形成する。該平板１９は、軸１７の上端部において別体として分離し、且つ該内筒体２０の回転にブレが生じないように、噛み合わせ部１８の下端部は軸１７の先端部に回転位置を規制した遊嵌状態で嵌入している。
従って、上記軸１７に挿入した内筒体２０は、該軸１７を中心としてその周囲を回動自在に形成されることになる。
【００２９】
図４に示すように、該内筒体２０の周壁には螺旋状の羽根２１の内側縁部を２枚固定し、空間部２２を上方から下方へ螺旋状に傾斜区画するように形成し、該羽根２１の他方の外側縁部は外筒体２３の内壁に固定している。従って、内・外の筒体２０、２３が回転すると氷塊はその回転力によって羽根２１面を下方側へと落下することになる。
上記噛み合わせ部１８、平板１９、内筒体２０、羽根２１、空間部２２及び外筒体２３によって回転体２４を形成している。
【００３０】
上記羽根２１の裏面側には、回転体２４を下方部より斜視した図５に示すように、多数の突起２５を形成する。筒体２０、２３間の空間部２２に挿入された氷塊は、回転すると螺旋状の羽根２１間を通路として下方部へ誘導され、最下部に位置する氷塊を切削していくので、順次下方側へ移動することになるが、回転による氷塊の衝突等の何等かの作用により上方側へ飛び跳ねることがある。上記跳ね上がった氷塊の多くは該多数の突起２５に衝突することになり、羽根２１の裏面に沿って氷塊が上昇することを防止している。
【００３１】
氷塊投入容器６は、上記した回転体２４、軸１７と一体化された底部２６及び該底部２６の縁部より立設した外周壁２７とで形成している。
該底部２６には、図６に示すように、その開口部２８にカッター２９をボルト等により着脱自在に取着している。該カッター２９の先端は、該底部２６の上面より突出取着される。突出状態は、該ボルト等により適宜調整することができる。該カッター２９により切削された氷は、該開口部２８より下方へ落下し、器Ｔ内に収納されることになる。
【００３２】
外周壁２７には、氷塊投入容器６を所定の場所へ据え付け、且つ取り出し易いように把手３０を形成する。装着は、該把手３０を持ち、支持板４とキャップ５間に挿入することにより行なう。
【００３３】
該氷塊投入容器６は、支持板４上の横方向から挿入するが、挿入したのみでは、噛み合わせ部１８が駆動源となる回転軸１５の延出部１６と連結されない。従って、上記延出部１６と噛み合わせ部１８とを連結する必要が生じる。
【００３４】
該連結手段として昇降手段を採用する。該昇降手段としては、図７及び図８に示すように、支持板４に形成した凹部３１と、該凹部３１内を昇降する押し上げ板とより形成する。
該支持板４の表面側中央部には凹部３１が形成され、該凹部３１の側壁３２にはテーパー状突起３３を適数個形成する。バランス上、少なくとも３個以上略均等間隔で配設する。
該凹部３１には、その大きさと略一致する押し上げ板３４を回転自在に嵌入する。該押し上げ板３４の上面側には、ガイド用突起３５を形成し、下面側には上記テ−パー状突起３３の数及び位置に合ったテ−パー状突起３６を適数個形成し、且つ係止用突起３７を形成している。
【００３５】
上記押し上げ板３４を該支持板４の凹部３１に嵌入し、該押し上げ板３４のテ−パー状突起３６と、支持板４のテ−パー状突起３３とがずれて並設されている状態においては、該押し上げ板３４の上面は支持板４の上面と面一状態となっている。当該状態において、氷塊投入容器６を支持板４上の該ガイド用突起３５に沿って配設する。その後、該氷塊投入容器６を回動すると、該氷塊投入容器６の底側部がガイド用突起３５を押し、該押し上げ板３４を回転することになる。該回転により該押し上げ板３４のテーパー状突起３６が、該支持板４のテーパー状突起３３に重なり、両者により厚くなる方向へ漸次移動し、相互の最厚部分が重なる位置で停止する。
上記停止は、該押し上げ板３４の係止用突起３７と、支持板４の凹部３１に突出した係止用突起３８とによって行なわれる。
【００３６】
上記回転により、押し上げ板３４は上昇することになり、同様に氷塊投入容器６を上方へ押し上げる。該上昇により氷塊投入容器６側の噛み合わせ部１８は歯車１４側の延出部１６と噛み合い、該歯車１４の回転が回転体２４を回転させることになる。
【００３７】
上記支持板４より氷塊投入容器６を取り出すときは、該氷塊投入容器６を挿着時とは逆方向となる方向へ回転することにより、押し上げ板３４は下降し、該支持板４の上面と該押し上げ板３４の上面とが面一となり、当該状態では延出部１６と噛み合わせ部１８とが外れ、支持板４上より引き出すことが可能となる。
【００３８】
上記支持柱３の支持板４とキャップ部５間の内側壁に接するようにして該氷塊投入容器６が配設されるが、該氷塊投入容器６の外周壁２７と対向する内側壁に接触或いは近接スイッチを設ける。該接触スイッチは、押圧装置とされ、該氷塊投入容器６が配設されると、外周壁２７に押圧されることになり、自動的に氷かき機の作動のためのスイッチ１１の入力が可能な状態となる。接触或いは近接スイッチが働かないとスイッチ１１は入力不可となるように構成されている。
これは、氷塊投入容器６が配設されていないにもかかわらず、スイッチ１１により氷かき機が作動することを防止する安全対策のためである。
【００３９】
また、氷かき機の可動時に、氷塊投入容器６内に投入した氷が噛み込んだり、詰まったりする等の何等かの原因により回転動作がストップする等の不都合が生じた場合、当該事態を解消するために、該回転体２４を逆回転させる緊急用スイッチを該支持柱３に設けることができる。
上記逆回転はモーター８の逆回転或いは歯車数を１個だけ増減させる位置へ移動させることにより羽根２１は逆方向へ回転し、氷塊を上昇させる方向へ作用させ、上記不都合を解決することが可能となる。
【図面の簡単な説明】
【００４０】
【図１】本発明の氷かき機の側面図。
【図２】本発明の氷かき機の横断平面図。
【図３】本発明の氷かき機の縦断側面図。
【図４】回転体の斜視図。
【図５】回転体の裏面側斜視図。
【図６】カッター部の断面図。
【図７】支持板の斜視図。
【図８】押し上げ板の斜視図。
【図９】氷かき機の従来例の一部断面図。
【図１０】氷かき機の他の従来例の一部断面図。
【符号の説明】
【００４１】
1.    氷かき機  
2.    基台  
3.    支持柱  
4.    支持板  
5.    キャップ部  
6.    氷塊投入容器
7.    収納ケース
8.    モーター
9.    回転軸
10.   空間部
11.   スイッチ
12.   電池
13.   電池蓋部
14ａ、14ｂ・・・歯車
15.   回転軸
16.   延出部
17.   軸
18.   噛み合わせ部
19.   平板
20.   内筒体
21.   羽根
22.   空間部
23.   外筒体
24.   回転体
25.   突起
26.   底部
27.   外周壁
28.   開口部
29.   カッター
30.   把手
31.   凹部
32.   側壁
33.   テーパー状突起
34.   押し上げ板
35.   ガイド用突起
36.   テーパー状突起
37、38.係止用突起
【図１】
2005164055.tif 000003
【図２】
2005164055.tif 000004
【図３】
2005164055.tif 000005
【図４】
2005164055.tif 000006
【図５】
2005164055.tif 000007
【図６】
2005164055.tif 000008
【図７】
2005164055.tif 000009
【図８】
2005164055.tif 000010
【図９】
2005164055.tif 000011
【図１０】
2005164055.tif 000012